(57)【特許請求の範囲】
【請求項１】
Ethernet（登録商標）を用いたリング型のIEEE802.1adやIEEE802.1ahの階層化VLAN上のQoS制御を行うQoS制御装置であって、
リング回線へトラヒックが流入する前段に、
Customer  VLAN（C-VLAN）単位でトラヒック公平制御を行う手段を備え、
リング区間に、Service  VLAN（S-VLAN）単位でトラヒック公平制御を行う手段を備える
ことを特徴とするQoS制御装置。
【請求項２】
前記S-VLAN単位のトラヒック公平制御は前記S-VLAN内の前記C-VLAN数に応じた重み付けを適用したトラヒック公平制御を行う手段を備える
請求項１に記載のQoS制御装置。
【請求項３】
Ethernet（登録商標）を用いたリング型のIEEE802.1adやIEEE802.1ahの階層化VLAN上のQoS制御を行うQoS制御方法であって、
通信ノードのリング回線へトラヒックが流入する前段において、該通信ノードの第１の公平制御手段が、Customer  VLAN（C-VLAN）単位でトラヒック公平制御を行い、
前記通信ノードのリング区間の第２の公平制御手段が、Service  VLAN（S-VLAN）単位でトラヒック公平制御を行う
ことを特徴とするQoS制御方法。
【請求項４】
前記S-VLAN単位のトラヒック公平制御は前記S-VLAN内の前記C-VLAN数に応じた重み付けを適用したトラヒック公平制御を行う
請求項３に記載のQoS制御方法。
【発明の詳細な説明】
【技術分野】
【０００１】
本発明は、QoS制御装置及び方法に係り、特に、階層化VLAN技術等を用いてEthernet（登録商標）リングを構成するノードシステムにおけるQoS制御装置及び方法に関するものである。
【背景技術】
【０００２】
EEE802.1ad、IEEE802.1ah等の階層化VLAN技術は、レイヤ２ネットワークにおいて階層化ヘッダを用いて、ユーザトラヒックを多重化し物理回線により多くのユーザを収容する技術である（例えば、非特許文献１参照）。VLAN技術はEthernetフレームにVLAN tagを付与して論理的に回線を区別する技術であるが、ユーザ単位のCustomer VLAN(C-VLAN)と、C-VLANを複数収容するService VLAN(S-VLAN)を論理的に構築し、Ethernet（登録商標）フレームにC-VLAN tagとS-VLAN tagを階層的に付与することにより、物理回線により多くのユーザを収容する。
【０００３】
図１にレイヤ２リングノードにおける従来のQoS制御方式を示す。
【０００４】
上記の階層化VLAN技術を用いたレイヤ２ネットワークにおいて、Ethernet(登録商標）フレームにC-VLAN tagとS-VLAN tagを付与されたユーザトラヒックは、レイヤ２リングノードのEthernet(登録商標）リング区間に流入する箇所に配備されたC-VLAN単位のパケットキュー３に蓄積され、他ノードからEthernet(登録商標）リング回線を流れてきたトラヒックと合わせてC-VLAN毎の公平制御部２により読み出されることでEthernet(登録商標）リング回線におけるC-VLAN間の公平性が保たれる。このように、従来の技術では、ユーザ間のトラヒック公平制御を行う場合、C-VLAN毎にパケットキューを配備し、キュー毎に公平な読み出し制御を行うことで、ユーザ間のトラヒック公平制御を実現していた。
【先行技術文献】
【非特許文献】
【０００５】
【非特許文献１】IEEE Std 802.1ad-2005:Local and metropolitan area networks-Virtual Bridged Local Area Networks-Amendment 4:Provider Bridges・IEEE Std 802.1ah-2008:Local and metropolitan area networks-Virtual Bridged Local Area Networks-Amendment 7:Provider Backbone Bridges
【発明の概要】
【発明が解決しようとする課題】
【０００６】
しかしながら、従来の技術では、ユーザトラヒックが高多重されたリング区間において、C-VLAN単位のキューと各キューからの読み出し制御機能を保持する必要があり、ハードウェア構成が複雑となっていたという点である。
【０００７】
本発明は、上記の点に鑑みなされたもので、これら従来技術の課題を解決し、ユーザトラヒックが高多重されたリング区間において、C-VLAN単位のキューやキュー単位の読み出し制御機能を具備することなく、S-VLAN単位のキューのみの全ユーザでの簡易なハードウェアで、ユーザ間のトラヒック公平制御の実現が可能なQoS制御装置及び方法を提供することを目的とする。
【課題を解決するための手段】
【０００８】
上記の課題を解決するため、本発明（請求項１）は、Ethernet（登録商標）を用いたリング型のIEEE802.1adやIEEE802.1ahの階層化VLAN上のQoS制御を行うQoS制御装置であって、
リング回線へトラヒックが流入する前段に、
Customer  VLAN（C-VLAN）単位でトラヒック公平制御を行う手段を備え、
リング区間に、Service  VLAN（S-VLAN）単位でトラヒック公平制御を行う手段を備える。
【００１０】
また、本発明（請求項２）は、前記S-VLAN単位のトラヒック公平制御は前記S-VLAN内の前記C-VLAN数に応じた重み付けを適用したトラヒック公平制御を行う手段を備える。
【発明の効果】
【００１１】
本発明によれば、リング回線へ流入する前段でS-VLAN単位の帯域制限を行いながらC-VLAN単位にキューを保持し、キュー毎の公平な読み出し制御を行うことにより、リング内はS-VLAN単位でのトラヒック公平制御のみを行うことで、ユーザトラヒックが高多重されたリンク区間において、ユーザ単位のキューを保持することなく、ユーザ間のトラヒック構成制御が可能となり、S-VLAN単位のキューのみの全ユーザでの簡易なハードウェアでユーザ間のトラヒック公平制御が実現可能となる。
【図面の簡単な説明】
【００１２】
【図１】従来技術のQoS制御システムの構成図である。
【図２】本発明の第１の実施の形態におけるQoS制御システムの構成図である。
【図３】本発明の第２の実施の形態におけるQoS制御システムの構成図である。
【図４】本発明と従来技術の比較である。
【発明を実施するための形態】
【００１３】
以下図面と共に、本発明の実施の形態を説明する。
【００１４】
［第１の実施の形態］
図２は、本発明の第１の実施の形態におけるQoS制御システムの構成図であり、Ethernet(登録商標）リング型ネットワークを構成するレイヤ２リングノード１０は、Ethernet（登録商標）回線を収用するアクセス回線収容部１１と、キュー１２と、C-VLAN単位のトラヒック公平制御部１３と、S-VLAN単位の帯域制限部１４と、Ethernet(登録商標）リング回線に多重する箇所におけるS-VLAN単位の公平制御部１５を具備する。
【００１５】
C-VLAN公平制御を行う公平制御部１３とS-VLANの帯域制限を行う帯域制限部１４は、Ethernetリング回線（階層化VLAN）３０に流入する前段に設けられ、S-VLANの公平制御を行う公平制御部１５は、リング内に設けられる。
【００１６】
レイヤ2リングノードでは、アクセス回線収容部１１において階層化VLANのアクセス回線を収容し、Ethernet(登録商標）フレームに対し、S-VLAN毎にC-VLAN単位のキュー１２を保持し、C-VAN公平制御部１３において、各キュー１２よりRound Robin方式で読み出しを行うことにより、S-VLAN毎にC-VLAN単位のトラヒック公平制御を行う。その後段のS-VLAN帯域制限部１４で、ある一定速度で転送を行うrate limit機能を用いたS-VLAN単位の帯域制限を行い、レイヤ2リングノードのEthernet(登録商標）リング区間へ転送する。Ethernet(登録商標）リング区間では、Ethernet(登録商標）リング回線３０への多重時に、S-VLAN単位のキューのみを保持し、S-VLAN公平制御部１５にて各キューよりRound Robin方式で読み出しを行うことにより、S-VLAN単位のトラヒック公平制御のみを行うことで、Ethernet(登録商標）リング回線３０においてC-VLAN単位を含めたトラヒック公平制御が実現される。
【００１７】
例えば、図２において、S-VLAN帯域制限部１４のS-VLAN単位の帯域制限を10Gbps、Ethernet(登録商標）リング回線の帯域を100Gbps、Ethernet(登録商標）リング回線の使用帯域を100Gbpsとすると、S-VLAN単位の帯域制限後のトラヒック10Gbpsは、C-VLAN単位に公平性は保たれている。Ethernet(登録商標）回線内のトラヒック100GbpsはS-VLAN単位の公平性、各S-VLANにおけるC-VLAN単位の公平性が既に保たれているとすると、Ethernet(登録商標）リング回線への多重時にS-VLAN単位の公平制御のみを行うことで、各C-VLAN単位の公平制御をある程度保ったまま、各S-VLAN単位の公平性も保たれ、超過帯域10Gbpsが廃棄される。
【００１８】
［第２の実施の形態］
本実施の形態では、S-VLAN単位のトラヒック公平制御に対してC-VLAN数で重み付けする例を説明する。
【００１９】
図３は、本発明の第２の実施の形態におけるQoS制御システムの構成を示す。同図において、図２と同一構成部分には同一符号を付す。
【００２０】
Ethernet(登録商標）リング型ネットワークを構成するレイヤ2リングノード２０では、アクセス回線収用部１１と、キュー１２と、C-VLAN単位のトラヒック公平制御部１３と、S-VLAN単位の帯域制限部１４と、Ethernet(登録商標）リング回線４０に多重する箇所におけるS-VLAN内のC-VLAN数に応じた重み付けを適用したS-VLAN単位の公平制御部２５を具備する。
【００２１】
レイヤ2リングノード２０では、アクセス回線収容部１１において、階層化VLANのアクセス回線を収容し、Ethernet(登録商標）フレームに対し、S-VLAN毎にC-VLAN単位のキュー１２を保持し、トラヒック公平制御部１３にて、C-VLAN単位のトラヒック公平制御を行う。その後段の帯域制限部１４で、S-VLAN単位の帯域制限を行い、レイヤ2リングノード２０のEthernet(登録商標）リング区間へ転送する。
【００２２】
Ethernet(登録商標）リング区間では、Ethernet(登録商標）リング回線４０への多重時に、S-VLAN単位のキュー１６のみを保持し、S-VLAN公平制御部２５でS-VLAN内のC-VLAN数に応じた重み付けを適用したS-VLAN単位のトラヒック公平制御のみを行う。
【００２３】
これにより、Ethernet(登録商標）リング回線４０において、S-VLAN内のC-VLAN数に依存することなく、C-VLAN単位を含めたトラヒック公平制御が実現される。
【００２４】
例えば、図３においてキュー１２のS-VLAN#1内のC-VLAN数が4、キュー１６のS-VLAN#2内のC-VLAN数が1とし、S-VLAN単位の帯域制限を10Gbps、Ethernet(登録商標）リング回線の帯域を10Gbps、Ethernet(登録商標）リング回線の使用帯域を0Gbpsとすると、S-VLAN#1におけるS-VLAN単位の帯域制限後のトラヒック10Gbpsは、C-VLAN単位に公平性は保たれておりC-VLAN毎に最大2.5Gbps使用可能である。一方、S-VLAN#2におけるS-VLAN単位の帯域制限後のトラヒック10Gbpsは、C-VLAN単位に公平性は保たれており、該当C-VLANで最大10Gbps使用可能である。Ethernet(登録商標）リング回線への多重時には、S-VLAN単位の公平制御のみを行うだけではS-VLAN#1内の各C-VLANは最大1.25Gbps使用可能、S-VLAN#2内のC-VLANは最大5Gbps使用可能となりC-VLAN単位の公平性が保たれないが、S-VLAN公平制御部２５で、S-VLAN内のC-VLAN数に応じてS-VLAN#1はS-VLAN#2の4倍の重み付けを適用したS-VLAN単位のトラヒック公平制御を行うことで、S-VLAN#1およびS-VLAN#2とも各C-VLANは最大2Gbps使用可能となり、C-VLAN単位の公平制御が保たれる。
【００２５】
このように、本例のQoS制御方式では、ユーザトラヒックが高多重されたリンク区間において、C-VLAN単位のキューとキュー単位の読み出し制御機能を保持する必要がなくなり、簡易なハードウェア構成でユーザ間のトラヒック公平制御が可能である。
【００２６】
図４に示すように従来技術では、C-VLAN単位にキューを保持する必要があったが、本発明の利用により、ユーザトラヒックが高多重されたリンク区間において、C-VLAN単位のキューやキュー単位の読み出し制御機能を具備することなく、S-VLAN単位のキューのみの全ユーザでの簡易なハードウェアで、ユーザ間のトラヒック公平制御が実現可能となる。
【００２７】
なお、本発明は、上記の実施の形態に限定されることなく、特許請求の範囲内において、種々変更・応用が可能である。
【符号の説明】
【００２８】
１  全VLAN構成制御部
１０、２０  レイヤ２リングノード
１１  アクセス回線収容部
１２  キュー
１３  C-VLAN公平制御部
１４  S-VLAN帯域制限部
１５  S-VLAN公平制御部
１６  キュー
２５  S-VLAN内のC-VLAN数に応じた重み付けを適用した公平制御部
３０，４０  Ethernet（登録商標）回線
【図１】
0005550619.tif 000002
【図２】
0005550619.tif 000003
【図３】
0005550619.tif 000004
【図４】
0005550619.tif 000005